(57)【特許請求の範囲】
【請求項１】
テレビジョン受像機と電力を伝達可能な配線で接続される電子機器に含まれるリモートコントロール信号受信装置であって、
受信されたリモートコントロール信号を解析する信号処理手段と、
前記信号処理手段に電力を供給する手段であって、電源オフ状態または待機状態では前記配線に対する電力供給を停止する前記テレビジョン受像機から前記配線を介して電力を受ける電力供給手段と、
前記電子機器に対する商用電源からの電力供給状態を切替可能な主電源制御手段と、
タイマとを備え、
前記信号処理手段は、前記リモートコントロール信号が電源オフを指示する制御情報を含む場合には、前記主電源制御手段の電力供給状態を遮断状態に設定し、前記リモートコントロール信号が電源オンを指示する制御情報を含む場合には、前記主電源制御手段の電力供給状態を通過状態に設定し、
前記タイマは、予め設定された時間が経過したときに、前記主電源制御手段の電力供給状態が遮断状態になっている場合には、前記主電源制御手段の電力供給状態を通過状態に設定する
ことを特徴とするリモートコントロール信号受信装置。
【請求項２】
主電源制御手段の電力供給状態が遮断状態になっているときに、タイマに電力を供給する補助電源を備えた
請求項１に記載のリモートコントロール信号受信装置。
【請求項３】
補助電源は、二次電池または電気二重層コンデンサである
請求項２に記載のリモートコントロール信号受信装置。
【請求項４】
電子機器は、ビデオカセットレコーダ、ハードディスクドライブレコーダ、ＤＶＤプレーヤまたはセットトップボックスである
請求項１から請求項３のうちのいずれか１項に記載のリモートコントロール信号受信装置。
【発明の詳細な説明】
【技術分野】
【０００１】
本発明は、テレビジョン受像装置と接続可能な電子機器におけるリモートコントロール信号受信装置に関する。
【背景技術】
【０００２】
ビデオカセットレコーダ、ＤＶＤプレーヤ、セットトップボックス（ＳＴＢ）など、テレビジョン受像機と接続可能な電子機器の電源をリモートコントローラ（以下、リモコンという。）によりオン（ＯＮ）またはオフ（ＯＦＦ）するためには、電子機器が待機状態である場合にもリモコン信号受信部に電力を供給する必要がある。電子機器の高機能化とともに、電子機器のリモコンによる操作も複雑化し、電子機器のリモコン信号受信部では多種の信号を解読しなければならない。そのため、リモコン信号受信部は、一般的に、ＣＰＵなどを使用した制御回路を備える。そのため、待機時にリモコン信号受信部の電力消費を低減させることは困難である。
【０００３】
テレビジョン受像機（ＴＶ）のリモコンから送信される信号を受信可能なＴＶリモコン信号受信部を備え、ＴＶリモコン信号受信部が受信した信号がＴＶ電源オン信号であった場合は、映像系の光加入者線終端装置に対する電力供給を開始し、ＴＶ電源オフ信号であった場合は、映像系の光加入者線終端装置に対する電力供給を停止して、映像系の光加入者線終端装置の待機電力の消費を防止する装置がある（例えば、特許文献１参照。）。
【先行技術文献】
【特許文献】
【０００４】
【特許文献１】特開２００２−８４５３５号公報
【発明の概要】
【発明が解決しようとする課題】
【０００５】
特許文献１に記載された装置では、映像系の光加入者線終端装置の待機電力の消費を防止することはできるが、ＴＶリモコン信号受信部に電力を常時供給させる必要があるので、ＴＶリモコン信号受信部の待機電力の消費を防止することができない。
【０００６】
そこで、本発明は、電子機器のリモコン信号受信待機時における電力消費を抑えることができるリモコン信号受信装置を提供することを目的とする。
【課題を解決するための手段】
【０００７】
本発明によるリモコン信号受信装置は、テレビジョン受像機と電力を伝達可能な配線で接続される電子機器に含まれるリモートコントロール信号受信装置であって、受信されたリモートコントロール信号を解析する信号処理手段と、信号処理手段に電力を供給する手段であって、電源オフ状態または待機状態では配線に対する電力供給を停止するテレビジョン受像機から配線を介して電力を受ける電力供給手段と、電子機器に対する商用電源からの電力供給状態を切替可能な主電源制御手段と、タイマとを備え、信号処理手段は、リモートコントロール信号が電源オフを指示する制御情報を含む場合には、主電源制御手段の電力供給状態を遮断状態に設定し、リモートコントロール信号が電源オンを指示する制御情報を含む場合には、主電源制御手段の電力供給状態を通過状態に設定し、タイマは、予め設定された時間が経過したときに、主電源制御手段の電力供給状態が遮断状態になっている場合には、主電源制御手段の電力供給状態を通過状態に設定することを特徴とする。
【発明の効果】
【０００８】
本発明によれば、電子機器のリモコン信号受信待機時における電力消費量を抑えることができる。
【図面の簡単な説明】
【０００９】
【図１】本発明によるリモコン信号受信装置を含む電子機器の第１の実施形態の構成を示すブロック図である。
【図２】第１の実施形態における電子機器とテレビジョン受像機との接続の一例を示す説明図である。
【図３】第１の実施形態における電子機器とテレビジョン受像機との接続の一例を示す説明図である。
【図４】本発明によるリモコン信号受信装置を含む電子機器の第２の実施形態を示すブロック図である。
【図５】第２の実施形態における電子機器とテレビジョン受像機との接続の一例を示す説明図である。
【図６】第２の実施形態における電子機器とテレビジョン受像機との接続の一例を示す説明図である。
【図７】本発明によるリモコン信号受信装置の主要部を示すブロック図である。
【発明を実施するための形態】
【００１０】
実施形態１．
以下、本発明の第１の実施形態を図面を参照して説明する。
【００１１】
図１は、本発明によるリモコン信号受信装置を含む電子機器の第１の実施形態における構成を示すブロック図である。
【００１２】
図１に示すように、電子機器１００は、機器本体部１１０と、ＡＣ―ＤＣ変換部１２０と、リモコン信号受信装置２００とを含む。
【００１３】
電子機器１００は、リモコンによる操作が可能な電子機器であって、テレビジョン受像機と接続される。電子機器１００は、例えば、ビデオカセットレコーダや、ハードディスクドライブ（ＨＤＤ）レコーダや、ＤＶＤプレーヤや、ＳＴＢなどである。
【００１４】
機器本体部１１０は、電子機器１００の各種機能を実現する。例えば、電子機器１００がＳＴＢであった場合には、機器本体部１１０は放送信号の受信や変換など、ＳＴＢに含まれる機能を実現する。また、機器本体部１１０は、リモコン信号受信装置２００から制御情報が入力された場合には、制御情報に応じた処理を実行する。機器本体部１１０は、プログラムに従って動作する電子機器１００が備えるＣＰＵなどによって実現される。
【００１５】
ＡＣ―ＤＣ変換部１２０は、商用電源などから供給される交流電力を直流電力に変換する。ＡＣ―ＤＣ変換部１２０は、変換後の直流電力を機器本体部１１０に出力する。
【００１６】
リモコン信号受信装置２００は、リモコン信号受光部２１０と、リモコン信号処理部２２０と、ＤＣ―ＤＣ変換部２３０と、電源スイッチ部２４０とを備える。
【００１７】
リモコン信号受光部２１０は、リモコンから送信された信号（以下、リモコン信号という。）を受信し、受信したリモコン信号をリモコン信号処理部２２０に出力する。
【００１８】
リモコン信号処理部２２０は、リモコン信号受光部２１０から入力されたリモコン信号を解析し、リモコン信号に含まれる制御情報を取得する。制御情報は、例えば、電子機器１００がＳＴＢであった場合には、チャンネル切り替えや電源ＯＮ／ＯＦＦなどＳＴＢの各種設定を変更するための情報である。リモコン信号処理部２２０は、取得した制御情報を機器本体部１１０へ出力する。
【００１９】
リモコン信号処理部２２０は、リモコン信号に含まれる制御情報が電源ＯＮ／ＯＦＦに関する制御情報（以下、電源ＯＮ／ＯＦＦ制御情報という。）であった場合には、電源ＯＮ／ＯＦＦ制御情報に応じて、電源スイッチ部２４０のスイッチをＯＮまたはＯＦＦにさせるための制御信号２４１を、電源スイッチ部２４０に出力する。
【００２０】
ＤＣ―ＤＣ変換部２３０は、電子機器１００が備えるＵＳＢインタフェース（図示せず）などから入力される直流電圧をリモコン信号処理部２２０が動作可能な電圧に変換して、電圧変換後の直流電力をリモコン信号処理部２２０に出力する。
【００２１】
電源スイッチ部２４０は、リモコン信号処理部２２０から入力される制御信号２４１にもとづいて、スイッチのＯＮ／ＯＦＦを切り替えて、ＡＣ―ＤＣ変換部１２０に対する交流電力の入力を開始または停止させる。
【００２２】
図２および図３は、第１の実施形態における電子機器とテレビジョン受像機との接続の一例を示す説明図である。
【００２３】
図２に示すように、電子機器１００とテレビジョン受像機３００とは、ＵＳＢインタフェース線５０１およびマルチメディアインタフェース線５０２で接続されている。
【００２４】
電子機器１００は、ＵＳＢインタフェースおよびマルチメディアインタフェース（図示せず）を備える。電子機器１００のＵＳＢインタフェースおよびマルチメディアインタフェースに、ＵＳＢインタフェース線５０１およびマルチメディアインタフェース線５０２が接続される。マルチメディアインタフェースは、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）である。機器本体部１１０は、マルチメディアインタフェースを介して、テレビジョン受像機３００との間でＨＤＭＩ信号などの信号の送受信を行う。
【００２５】
商用電源コンセント４００は、商用電源と電子機器１００とを接続する。商用電源コンセント４００によって商用電源と電子機器１００とが接続されると、商用電源から供給される交流電力が商用電源コンセント４００を介して電子機器１００のＡＣ―ＤＣ変換部１２０に入力される。
【００２６】
リモコン信号受信装置２００の電源スイッチ部２４０は、商用電源コンセント４００とＡＣ―ＤＣ変換部１２０との間に配置される。
【００２７】
次に、本実施形態の動作を説明する。
【００２８】
まず、テレビジョン受像機３００の電源が投入されると、ＵＳＢインタフェース線５０１を介して、テレビジョン受像機３００から電子機器１００のＵＳＢインタフェースに直流電力（ＵＳＢバスパワー）が供給される。
【００２９】
ＤＣ―ＤＣ変換部２３０は、ＵＳＢインタフェースに供給された直流電圧を、リモコン信号処理部２２０が動作可能な電圧に変換して、電圧変換後の直流電力をリモコン信号処理部２２０に出力する。
【００３０】
リモコン信号処理部２２０は、ＤＣ―ＤＣ変換部２３０からの直流電力の入力が開始されると、リモコン信号の受信（入力および解析）動作が可能な状態となる。
【００３１】
リモコン信号処理部２２０は、リモコン信号受光部２１０からリモコン信号を入力すると、リモコン信号の解析を開始する。
【００３２】
リモコン信号処理部２２０は、リモコン信号を解析して、リモコン信号に含まれる制御情報を取得する。リモコン信号に含まれる制御情報が電源ＯＮ／ＯＦＦ制御情報であった場合には、電源ＯＮ／ＯＦＦ制御情報に従って、電源スイッチ部２４０を制御する。具体的には、電源ＯＮ／ＯＦＦ制御情報が電源ＯＮの指示であった場合は、リモコン信号処理部２２０は、スイッチをＯＮさせるための制御信号２４１を電源スイッチ部２４０に出力して、ＡＣ―ＤＣ変換部１２０に対する交流電力の入力を開始させる。また、電源ＯＮ／ＯＦＦ制御情報が電源ＯＦＦの指示であった場合は、リモコン信号処理部２２０は、スイッチをＯＦＦさせるための制御信号２４１を電源スイッチ部２４０に出力して、ＡＣ―ＤＣ変換部１２０に対する交流電力の入力を停止させる。
【００３３】
リモコン信号処理部２２０は、リモコン信号を解析した後、リモコン信号に含まれる制御情報を機器本体部１１０へ送信する。
【００３４】
以上に説明したように、本実施形態では、電子機器１００のリモコン信号受信装置２００に対して、テレビジョン受像機３００から電力を供給しているので、リモコン信号受信装置２００への電力供給をテレビジョン受像機３００の電源ＯＮ／ＯＦＦと連動させることができる。そのため、テレビジョン受像機３００が電源ＯＦＦである場合に、リモコン信号受信装置２００の電力消費を防ぐことができる。
【００３５】
また、テレビジョン受像機３００が待機状態に入った時に、テレビジョン受像機３００が電子機器１００のＵＳＢインタフェースに対する電力供給を停止する場合には、リモコン信号受信装置２００への電力供給も停止されるので、テレビジョン受像機３００の待機状態時においても、リモコン信号受信装置２００の電力消費を防ぐことができる。
【００３６】
なお、リモコン信号受光部２１０、ＤＣ―ＤＣ変換部２３０および電源スイッチ部２４０は、リモコン信号受信装置２００の外部に設置されていてもよい。そのような構成によれば、電子機器１００がリモコン信号受光部、ＤＣ―ＤＣ変換部および電源スイッチ部を備えている場合に、それらを使用することによって、リモコン信号受信装置２００の構成を簡略化させることができる。
【００３７】
また、マルチメディアインタフェース線５０２を介してテレビジョン受像機３００から電子機器１００へ電力供給が可能である場合には、図３に示すように、マルチメディアインタフェース線５０２を介して、テレビジョン受像機３００からリモコン信号受信装置２００へ電力供給を行うようにしてもよい。
【００３８】
実施形態２．
以下、本発明の第２の実施形態を図面を参照して説明する。
【００３９】
図４は、本発明によるリモコン信号受信装置を含む電子機器の第２の実施形態を示すブロック図である。図５および図６は、第２の実施形態における電子機器とテレビジョン受像機との接続の一例を示す説明図である。
【００４０】
なお、図５は、ＵＳＢインタフェース線５０１を介してテレビジョン受像機３００からリモコン信号受信装置２０１へ電力供給を行う場合の接続の一例を示し、図６は、マルチメディアインタフェース線５０２を介してテレビジョン受像機３００からリモコン信号受信装置２０１へ電力供給を行う場合の接続の一例を示す。
【００４１】
図４に示すように、電子機器１００のリモコン信号受信装置２０１は、タイマ２５０および補助電源２６０を備える。
【００４２】
タイマ２５０は、時間を計測し、指定された時間が経過したときに、電源スイッチ部２４０のスイッチがＯＦＦである場合には、スイッチをＯＮさせるための制御信号２４１を出力する。例えば、電子機器１００がＨＤＤレコーダである場合には、機器本体部１１０が、留守録（留守録画）や、定期的な番組表の取得などの処理を開始するまでの時間をタイマ２５０に指定すると、タイマ２５０は、計時を開始して、指定された時間が経過したときに制御信号２４１を電源スイッチ部２４０に出力する。
【００４３】
補助電源２６０は、二次電池である。補助電源２６０は、電源スイッチ部２４０のスイッチがＯＮになっているときは、ＡＣ―ＤＣ変換部１２０から直流電力が入力され、充電される。また、電源スイッチ部２４０のスイッチがＯＦＦになっているときは、充電された電力をもとにタイマ２５０に直流電力を供給する。なお、補助電源２６０は、スーパーキャパシタなどの電気二重層コンデンサであってもよい。
【００４４】
本実施形態によれば、テレビジョン受像機３００が電源ＯＦＦ状態または待機状態であって、リモコン信号受信装置２０１に電力が供給されていない状態であっても、指定された時間に、タイマ２５０によって電源スイッチ部２４０のスイッチをＯＮにさせることができる。従って、留守録などの電子機器１００が備える機能を指定された時間に確実に実行させることができる。
【００４５】
また、タイマ２５０は、電源スイッチ部２４０がＯＦＦにされているときには、補助電源２６０から直流電力の供給を受けているので、リモコン信号受信装置２０１の待機電力を増加させることがない。
【００４６】
なお、タイマ２５０および補助電源２６０は、リモコン信号受信装置２０１の外部に設置されていてもよい。そのような構成によれば、電子機器１００がタイマおよび補助電源を備えている場合に、それらを使用することによって、リモコン信号受信装置２０１の構成を簡略化させることができる。
【００４７】
図７は、本発明によるリモコン信号受信装置の主要部を示すブロック図である。図７に示すように、リモコン信号受信装置（図１に示す電子機器１００におけるリモコン信号受信装置２００に相当。）は、テレビジョン受像機（図１に示すテレビジョン受像機３００に相当。）と電力を伝達可能な配線で接続される電子機器（図１に示す電子機器１００に相当。）に含まれるリモコン信号受信装置であって、受信されたリモコン信号を解析する信号処理手段１１（図１に示すリモコン信号受信装置２００におけるリモコン信号処理部２２０に相当。）と、信号処理手段１１に電力を供給する手段であって、電源オフ状態または待機状態では配線に対する電力供給を停止するテレビジョン受像機から配線を介して電力を受ける電力供給手段１２（図１に示すリモコン信号受信装置２００におけるＤＣ―ＤＣ変換部２３０に相当。）とを備えている。
【００４８】
上記の実施形態には、以下のようなリモコン信号受信装置も開示されている。
【００４９】
（１）電子機器に対する商用電源からの電力供給状態を切替可能な主電源制御手段（図１に示すリモコン信号受信装置２００における電源スイッチ部２４０に相当。）を備え、信号処理手段は、リモコン信号が電源オフを指示する制御情報を含む場合には、主電源制御手段の電力供給状態を遮断状態に設定するリモコン信号受信装置。
【００５０】
（２）予め設定された時間が経過したときに、主電源制御手段の電力供給状態が遮断状態になっている場合には、主電源制御手段の電力供給状態を通過状態に設定するタイマ（図４に示すリモコン信号受信装置２０１におけるタイマ２５０に相当。）を備えたリモコン信号受信装置。
【００５１】
（３）主電源制御手段の電力供給状態が遮断状態になっているときに、タイマに電力を供給する補助電源（図４に示すリモコン信号受信装置２０１における補助電源２６０に相当。）を備えたリモコン信号受信装置。
【００５２】
（４）補助電源が、二次電池または電気二重層コンデンサであるリモコン信号受信装置。
【００５３】
（５）電子機器が、ビデオカセットレコーダ、ＨＤＤレコーダ、ＤＶＤプレーヤまたはセットトップボックスであるリモコン信号受信装置。
【符号の説明】
【００５４】
１１  信号処理手段
１２  電力供給手段
１００  電子機器
１１０  機器本体部
１２０  ＡＣ―ＤＣ変換部
２００、２０１  リモコン信号受信装置
２１０  リモコン信号受光部
２２０  リモコン信号処理部
２３０  ＤＣ―ＤＣ変換部
２４０  電源スイッチ部
２４１  制御信号
２５０  タイマ
２６０  補助電源
３００  テレビジョン受像機
４００  商用電源コンセント
５０１  ＵＳＢインタフェース線
５０２  マルチメディアインタフェース線
【図１】
0005721174.tif 000002
【図２】
0005721174.tif 000003
【図３】
0005721174.tif 000004
【図４】
0005721174.tif 000005
【図５】
0005721174.tif 000006
【図６】
0005721174.tif 000007
【図７】
0005721174.tif 000008